【手続補正書】
【提出日】平成28年2月23日(2016.2.23)
【手続補正１】
【補正対象書類名】特許請求の範囲
【補正対象項目名】全文
【補正方法】変更
【補正の内容】
【特許請求の範囲】
【請求項１】
ビデオデータを符号化するための方法であって、
コーディングユニット（ＣＵ）の残差４分木（ＲＱＴ）を表すデータを含むビットストリームを生成することを備え、前記ＣＵは最大許容可能変換ユニット（ＴＵ）サイズよりも大きく、前記ＲＱＴはノードの階層を含み、前記ＲＱＴのルートノードは前記ＣＵ全体に対応し、前記ＲＱＴのリーフノードは前記ＣＵのＴＵに対応し、
前記ビットストリームは少なくとも１つのルートノードクロマ成分のコード化ブロックフラグ（ＣＢＦ）を含み、それぞれのルートノードクロマ成分ＣＢＦは、前記ＣＵの前記ＴＵのいずれかが前記それぞれのクロマ成分のサンプルに基づく有効クロマ係数ブロックに関連付けられているかどうかを示し、
前記ビットストリームを出力することを備える、方法。
【請求項２】
ビデオデータを復号するための方法であって、
前記ビデオデータの符号化表現を含むビットストリームから、コーディングユニット（ＣＵ）の残差４分木（ＲＱＴ）の少なくとも１つのルートノードクロマ成分のコード化ブロックフラグ（ＣＢＦ）をパースすることであって、前記ＣＵのピクセルブロックが最大許容可能変換ユニット（ＴＵ）サイズよりも大きいことと、
前記ルートノードクロマ成分ＣＢＦが第１の値を有する場合、前記ビットストリームから、前記ＲＱＴのリーフノードに関連付けられたクロマ係数ブロックをパースすることであって、前記ルートノードクロマ成分ＣＢＦが前記第１の値とは異なる第２の値を有する場合、前記リーフノードに関連付けられた前記クロマ係数ブロックが前記ビットストリームからパースされないことと
を備える方法。
【請求項３】
前記ビットストリームから、ルートノードルーマをパースすることであって、前記Ｙ  ＣＢＦが、前記ＲＱＴの任意のリーフノードが有効ルーマ係数ブロックに関連付けられているかどうかを示すことをさらに備える、請求項２に記載の方法。
【請求項４】
前記ビットストリームから、前記ルートノードのフラグをパースすることであって、前記フラグが、有効係数ブロックに関連付けられた前記ＲＱＴのリーフノードがあるかどうかを示し、前記フラグが、前記ＲＱＴのリーフノードが有効係数ブロックに関連付けられないことを示す場合、前記ＲＱＴ中のノードはＣＢＦに関連付けられないことをさらに備える、請求項２に記載の方法。
【請求項５】
前記ＲＱＴのノードのＹ  ＣＢＦと、前記ノードのＵ  ＣＢＦと、前記ノードのＶ  ＣＢＦとに基づいて、前記ＲＱＴのノードの分割フラグをパースすることを決定することと、
前記決定したことに応答して、前記ノードの前記分割フラグに基づいて、前記ビットストリームから前記ノードの複数の子ノードをパースするかどうかを判断することとをさらに備え、
前記Ｙ  ＣＢＦが、前記ノードまたは前記ノードの任意の子孫ノードが有効Ｙ係数ブロックに関連付けられているかどうかを示し、前記Ｕ  ＣＢＦが、前記ノードまたは前記ノードの任意の子孫ノードが有効Ｕ係数ブロックに関連付けられているかどうかを示し、前記Ｖ  ＣＢＦが、前記ノードまたは前記ノードの任意の子孫ノードが有効Ｖ係数ブロックに関連付けられているかどうかを示す、
請求項２に記載の方法。
【請求項６】
前記ビットストリームは、ルートノードルーマをさらに含み、Ｙ  ＣＢＦは、前記ＣＵの前記ＴＵのいずれかが有効ルーマ係数ブロックに関連付けられているかどうかを示す、請求項１に記載の方法。
【請求項７】
前記ルートノードがフラグに関連付けられ、
前記フラグが第１の値を有する場合、前記ＣＵの前記ＴＵのうちの少なくとも１つが有効係数ブロックに関連付けられ、
前記フラグが前記第１の値とは異なる第２の値を有する場合、前記ＣＵの前記ＴＵのいずれも有効係数ブロックに関連付けられず、前記ＲＱＴ中のノードはＹ  ＣＢＦ、Ｕ  ＣＢＦ、またはＶ  ＣＢＦに関連付けられない、
請求項１に記載の方法。
【請求項８】
前記ＲＱＴ中のそれぞれのノードについて、
前記それぞれのノードのＹ  ＣＢＦ、前記それぞれのノードのＵ  ＣＢＦ、および前記それぞれのノードのＶ  ＣＢＦがすべて第１の値を有する場合、前記それぞれのノードは分割フラグに関連付けられず、前記分割フラグは前記それぞれのノードが複数の子ノードを有するかどうかを示し、
前記それぞれのノードの前記Ｙ  ＣＢＦ、前記それぞれのノードのＵ  ＣＢＦ、前記それぞれのノードの前記Ｖ  ＣＢＦのうちの少なくとも１つが前記第１の値とは異なる第２の値を有する場合、前記それぞれのノードは前記分割フラグに関連付けられ、
前記Ｙ  ＣＢＦは、前記それぞれのノードまたは前記それぞれのノードの子孫ノードに対応する任意のＴＵが有効Ｙ係数ブロックに関連付けられているかどうかを示し、
前記Ｕ  ＣＢＦは、前記それぞれのノードまたは前記それぞれのノードの子孫ノードに対応する任意のＴＵが有効Ｕ係数ブロックに関連付けられているかどうかを示し、
前記Ｖ  ＣＢＦは、前記それぞれのノードまたは前記それぞれのノードの子孫ノードに対応する任意のＴＵが有効Ｖ係数ブロックに関連付けられているかどうかを示す、
請求項１に記載の方法。
【請求項９】
少なくとも部分的に前記ＲＱＴのノードのＣＢＦに基づいて、コーディングコンテキストを選択することと、
前記選択されたコーディングコンテキストに基づいて、前記ノードの分割フラグに対してコンテキスト適応型バイナリ算術コーディング（ＣＡＢＡＣ）符号化を実行することであって、前記分割フラグが、前記ノードが複数の子ノードを有するかどうかを示すことと
をさらに備える、請求項１または２に記載の方法。
【請求項１０】
少なくとも部分的に同じコーディングコンテキストに基づいて、前記ＲＱＴ中のノードのＹ  ＣＢＦと、Ｕ  ＣＢＦと、Ｖ  ＣＢＦとに対して、それぞれ、ＣＡＢＡＣ符号化または復号を実行することをさらに備える、請求項１または２に記載の方法。
【請求項１１】
前記ＲＱＴの非リーフノードが、分割フラグと、Ｙ  ＣＢＦと、Ｕ  ＣＢＦと、Ｖ  ＣＢＦとに関連付けられ、前記分割フラグが、前記非リーフノードが複数の子孫ノードを有することを示し、前記Ｙ  ＣＢＦが、前記子孫ノードのいずれかが有効ルーマ係数ブロックに関連付けられているかどうかを示し、前記Ｕ  ＣＢＦが、前記子孫ノードのいずれかが有効Ｕ係数ブロックに関連付けられているかどうかを示し、前記Ｖ  ＣＢＦが、前記子孫ノードのいずれかが有効Ｖ係数ブロックに関連付けられているかどうかを示す、請求項１または２に記載の方法。
【請求項１２】
前記ＲＱＴのノードの深度に基づいて、前記ＲＱＴの前記ノードによって指定されたＹ  ＣＢＦと、Ｕ  ＣＢＦと、Ｖ  ＣＢＦとに対するコーディングコンテキストを選択することと、ここで、前記コーディングコンテキストのインデックス値が前記ＣＢＦを指定する前記ＲＱＴ中のノードの深度に等しい、
前記Ｙ  ＣＢＦと、前記Ｕ  ＣＢＦと、前記Ｖ  ＣＢＦとについて選択された前記コーディングコンテキストに基づいて、前記Ｙ  ＣＢＦと、前記Ｕ  ＣＢＦと、前記Ｖ  ＣＢＦとに対して、それぞれ、エントロピー符号化または復号の動作を実行することと
をさらに備える、請求項１または２に記載の方法。
【請求項１３】
前記ＲＱＴ中のそれぞれのノードについて、
前記それぞれのノードが前記ルートノードではないか、前記それぞれのノードの親ノードのＵ  ＣＢＦが前記親ノードの子孫ノードが有効Ｕクロマブロックに関連付けられることを示さない限り、前記それぞれのノードがＵ  ＣＢＦを含まず、
前記それぞれのノードが前記ルートノードではないか、前記それぞれのノードの前記親ノードのＶ  ＣＢＦが前記親ノードの子孫ノードが有効Ｖクロマブロックに関連付けられることを示さない限り、前記それぞれのノードがＶ  ＣＢＦを含まない、
請求項１または２に記載の方法。
【請求項１４】
ビデオデータを符号化するビデオ符号化デバイスであって、コーディングユニット（ＣＵ）の残差４分木（ＲＱＴ）を表すデータを含むビットストリームを生成するための手段を備え、前記ＣＵは最大許容可能変換ユニット（ＴＵ）サイズよりも大きく、前記ＲＱＴはノードの階層を含み、前記ＲＱＴのルートノードは前記ＣＵ全体に対応し、前記ＲＱＴのリーフノードは前記ＣＵのＴＵに対応し、
前記ビットストリームは少なくとも１つのルートノードクロマ成分のコード化ブロックフラグ（ＣＢＦ）を含み、それぞれのルートノードクロマ成分ＣＢＦは、前記ＣＵの前記ＴＵのいずれかが前記それぞれのクロマ成分のサンプルに基づく有効クロマ係数ブロックに関連付けられているかどうかを示す、
ビデオ符号化デバイス。
【請求項１５】
ビデオデータを復号するビデオ復号デバイスであって、
前記ビデオデータの符号化表現を含むビットストリームから、コーディングユニット（ＣＵ）の残差４分木（ＲＱＴ）の少なくとも１つのルートノードクロマ成分のコード化ブロックフラグ（ＣＢＦ）をパースするための手段であって、前記ＣＵのピクセルブロックが最大許容可能変換ユニット（ＴＵ）サイズよりも大きい、手段と、
前記ルートノードクロマ成分ＣＢＦが第１の値を有する場合、前記ビットストリームから、前記ＲＱＴのリーフノードに関連付けられたクロマ係数ブロックをパースするための手段であって、前記ルートノードクロマ成分ＣＢＦが前記第１の値とは異なる第２の値を有する場合、前記リーフノードに関連付けられた前記クロマ係数ブロックが前記ビットストリームからパースされない、手段と
を備えるビデオ復号デバイス。
【請求項１６】
ビデオ符号化または復号のデバイスの１つまたは複数のプロセッサによって実行されると、前記１つまたは複数のプロセッサに、請求項１乃至１３のうちのそれぞれの方法のいずれかの方法を行わせる、
コンピュータ可読記憶媒体。